(57)【特許請求の範囲】
【請求項１】
メインシステムと、
外部から操作が可能な操作部と、
前記操作部からの信号を受けて、前記メインシステムの状態を管理する管理部と、
前記管理部からの指示に基づいて、前記メインシステムへの電力供給のオン／オフを決定するスイッチと、を備え、
前記管理部は、
前記メインシステムへ電力が供給されているときに、
第１の基準時間内に受けた前記信号入力の態様に基づいて、電力供給のオフを指示する信号を前記スイッチへ出力するか、または、リセットを指示する信号を前記メインシステムへ出力するか、を決定する
ことを特徴としたエンタテインメント装置。
【請求項２】
メインシステムと、
外部から操作が可能なプッシュスイッチと、
前記プッシュスイッチから伝達される信号を受けて、前記メインシステムの状態を管理する管理部と、
前記管理部からの指示に基づいて、前記メインシステムへの電力供給のオン／オフを決定する電力供給スイッチと、を備え、
前記管理部は、
前記メインシステムへ電力が供給されているときに、
前記プッシュスイッチから伝達される信号が、
第１の基準時間以上連続する場合は、前記電力供給スイッチへ電力供給のオフを指示する信号を出力し、
前記第１の基準時間に満たない場合は、前記メインシステムへリセットを指示する信号を出力する
ことを特徴とするエンタテインメント装置。
【請求項３】
請求項１及び２のいずれか一項記載のエンタテインメント装置において、
前記管理部は、
前記メインシステムがリセットされた後、第２の基準時間以上、外部からの操作入力がなかったときは、前記電力供給スイッチへ電力供給のオフを指示する信号を出力する
ことを特徴とするエンタテインメント装置。
【請求項４】
請求項１及至３のいずれか一項記載のエンタテインメント装置において、
前記管理部は、
前記リセットを指示する信号を出力してから、第３の基準時間内に、予め定められた基準回数以上、さらに前記リセットを指示する信号を出力した場合は、前記電力供給スイッチへ電力供給のオフを指示する信号を出力する
ことを特徴とするエンタテインメント装置。
【発明の詳細な説明】
【０００１】
【発明の属する技術分野】
本発明は、エンタテインメント装置に関し、特に、当該エンタテインメント装置の電源オフとリセットとについての操作技術に関する。
【０００２】
【従来の技術】
エンタテインメント装置では、従来は、電源スイッチと、リセットスイッチとは別々に設けられていた。
【０００３】
【発明が解決しようとする課題】
しかし、近年、エンタテインメント装置について、ますます小型化される一方、多機能化も進んでいる。このため、エンタテインメント装置本体の表面積が狭くなっているにもかかわらず、新しい機能と関連する操作部が増加することは避けられない。従って、可能な限り操作部を減らしたいという要請がある。
【０００４】
そこで、本発明は、同一の操作部で、複数種類の操作指示を受け付けるエンタテインメント装置を提供することを目的とする。
【０００５】
【課題を解決するための手段】
前記目的を達成するためのエンタテインメント装置は、
外部から操作が可能な操作部と、
前記操作部が受け付けた操作について、当該操作の操作態様を判定する判定部と、
前記判定された操作態様に対して予め定められた指示信号を出力することを特徴とする。
【０００６】
【発明の実施の形態】
以下、本発明の実施形態について、図面を用いて説明する。以下の実施形態では、ゲーム、映像再生、音響再生、通信等を行うことができるエンタテインメント装置を例として説明する。
【０００７】
図１は、本実施形態に係るエンタテインメント装置１００の外観を示す図である。エンタテインメント装置１００は、筐体１１０に収容されている。その筐体１１０の前面に、メモリカード挿入孔１１１、コントローラ挿入孔１１２、引き出し可能なディスクトレイ１１３、および、プッシュスイッチ（以下、単に「スイッチ」と称することもある。）１１４が配置されている。すなわち、当該エンタテインメント装置１００の利用者は、筐体１１０正面においてプッシュスイッチ１１４を押すことができる。
【０００８】
本実施形態では，外部からの操作受付手段として、プッシュスイッチ１１４を用いたが、これに限らず、例えば、タッチスイッチ、タッチパネル等でも良い。
【０００９】
図２は、本実施形態に係るエンタテインメント装置１００の機能ブロック図である。
【００１０】
当該エンタテインメント装置１００は、少なくとも、電源回路１２０と、使用者にエンタテインメント機能を提供するメインシステム１３０と、外部からの操作を受け付けるプッシュスイッチ１１４と、メインシステム１３０の状態を管理するシステムコントローラ１４０と、メインシステム１３０の電源オン／オフを決定する内部スイッチ１５０とを備える。
【００１１】
システムコントローラ１４０は、メインシステム１３０の電源制御を行う電源制御部１４１を有する。
【００１２】
プッシュスイッチ１１４は、システムコントローラ１４０と接続されていて、プッシュスイッチ１１４の操作状態を示す信号がシステムコントローラ１４０に伝わる。すなわち、プッシュスイッチ１１４が押されると、プッシュスイッチ１１４と接続されているシステムコントローラ１４０の端子（図示しない）がグランドレベルに落ちる。
【００１３】
電源回路１２０は、システムコントローラ１４０、及び、内部スイッチ１５０を介してメインシステム１３０と接続されていて、それぞれに電力を供給する。
【００１４】
さらに、システムコントローラ１４０は、内部スイッチ１５０とも接続されていて、メインシステム１３０への電源オン／オフを制御する。システムコントローラ１４０は、メインシステム１３０とも接続されていて、メインシステム１３０にリセット信号を送信する。
【００１５】
次に、電力制御の手順について、説明する。
【００１６】
メインシステム１３０の電源がオフされている状態で、プッシュスイッチ１１４が押されると、システムコントローラ１４０はその信号を検出し、電源制御部１４１により、内部スイッチ１５０に対して電源オン信号を出力し、メインシステム１３０に電力が供給される。
【００１７】
メインシステム１３０に電力が供給されている状態で、プッシュスイッチ１１４が押されると、電源制御部１４１は、そのスイッチ１１４が押されている時間を計測する。そして、押されている時間が、予め決められている第１の基準時間を越えると、メインシステム１３０の電源オフ信号を内部スイッチ１５０に送る。スイッチ１１４が計測開始から連結して押されている時間が、第１の基準時間に満たないうちに、スイッチ１１４が離された場合、メインシステム１３０に対して、リセット信号を送信する。
【００１８】
この様にすることで、一つのスイッチに電源オン／オフと、リセットの２つの機能を持たせることができる。
【００１９】
上記実施形態では、プッシュスイッチを押し続ける時間の長さで、電源オフとリセットのいずれであるかの判断をしたが、本発明はこれに限られない。例えば、所定時間内に押す回数で判断しても良い。具体的には、最初にスイッチが押された時点から時間を計測し、所定時間内に押された回数が１回であるときはリセット、２回であるときは電源オフ、等としても良い。
【００２０】
また、リセット後、一定時間以上にわたって、エンタテインメント装置１００に操作入力がない場合は、電源をオフするようにしても良い。例えば、次のようにして実現する。
【００２１】
すなわち、メインシステム１３０のリセットが完了した後、エンタテインメント装置１００の使用者が、エンタテインメント装置１００に対して何らかの操作入力を行ったとき、メインシステム１３０は電源制御部１４１に対してエンタテインメント機能開始を通知する。一方、電源制御部１４１は、リセット信号を送信した後、その時点からの経過時間を計測する。そして、第２の基準時間が経過しても、メインシステム１３０からエンタテイメント機能開始通知を受けなかったときは、電源制御部１４１は、内部スイッチ１５０に電源オフ信号を送信する。これにより、使用者は電源をオフしたつもりであるが、実はリセットされたのみで、電源がオフされず、そのまま放置されたようなときであっても、電源がオフされる。
【００２２】
さらに、スイッチ１１４が繰り返し押され、一定時間内に押された回数が、一定回数に達したときは、電源をオフするようにしても良い。使用者が、何度もリセット操作を繰り返すということは、エンタテインメント装置１００の使用方法を熟知していないため、電源をオフしたいが、オフできない場合と考えることができるからである。すなわち、電源制御部１４１が、メインシステム１３０に対して、リセット信号を出力してから第３の基準時間内に、さらに、予め定められた基準回数以上リセット信号を出力した場合は、内部スイッチ１５０へ電源オフ信号を出力する。
【００２３】
【発明の効果】
本発明によれば、同一の操作部で、複数の種類の操作指示を受け付けるエンタテインメント装置を提供することができる。
【図面の簡単な説明】
【図１】本発明に係るエンタテインメント装置の外観図である。
【図２】本発明に係るエンタテインメント装置の機能構成図である。
【符号の説明】
１００…エンタテインメント装置、１１０…筐体、１１１…メモリカード挿入孔、１１２…コントローラ挿入孔、１１３…ディスクトレイ、１１４…プッシュスイッチ、１２０…電源、１３０…メインシステム、１４０…システムコントローラ、１４１…電源制御部、１５０…内部スイッチ。
【図１】
0003764610.tif 000002
【図２】
0003764610.tif 000003